(57)【特許請求の範囲】
【請求項１】
注入口を有する袋物への詰め物としてポリスチレンビーズと天然繊維または人造繊維からなるわたとの混合物を使用し、前記混合物を送風によって吸引、圧送する袋物への詰め物の充填方法であって、前記混合物は１００メッシュ以上の粉砕度を持つ炭酸カルシュウム粉末を含有していることを特徴とする袋物への詰め物の充填方法。
【発明の詳細な説明】
【０００１】
この発明は、袋物への詰め物の充填方法に関するものである。
【０００２】
【従来の技術】
袋物はぬいぐるみ、人形、枕、玩具などの製造用に供され、詰め物としてはそば殻、糸屑、藁、天然繊維のわた、ポリエステル繊維のわた、ウレタンフォーム片、及び各種の円筒状プラスチック加工物、ポリスチレンビーズ、等が利用されている。詰め物としては適度なやわらかさと弾力性を持ち一度力を加えて変形した部分がゆっくり戻る復元性を有する事と、バクテリヤや細菌が発生しずらいことが要求される。また袋物への詰め物の充填は手作業や送風により詰め込み、最後にその開口状の注入部分を縫着させて袋物を完成する方法が一般的技術として知られている。
【０００３】
従来の詰め物の中で直径１ｍｍのポリスチレンのビーズは適度なやわらかさと弾力性を持ち一度力を加えて変形した部分がゆっくり戻る復元性を有しており、袋物への詰め物として優れていることからポリスチレンビースのみを詰め物として使用する方法がある。
【０００４】
【発明が解決しようとする課題】
しかし、前記ポリスチレンヒ゛ーズは比重が軽く周辺に飛散するので、送風方式では充填できず、手作業によって充填せざるを得ないため、充填作業効率が悪い。また前記ポリスチレンヒ゛ーズは静電気を帯びやすく、周辺機器の鉄板に付着してハンドリングしずらいという欠点を有している。
【０００５】
また，前記ポリスチレンヒ゛ーズは詰め物として一般的に使われているポリエステルわたや他の詰め物に比べコスト高になるのが難点である。
【０００６】
このような理由から、詰め物として適度なやわらかさと弾力性を持ち、一度力を加えて変形した部分がゆっくり戻る復元性を有する詰め物であって、充填作業性が高く、かつ経済性も満足する詰め物とその充填方法の開発が課題となっている。
【０００７】
また、天然物質の詰め物を使った袋物には、適度な温度や湿気の存在で、長期間の使用時に、詰め物内にバクテリアや細菌などが増殖し悪臭が発生する事があるので、バクテリアや細菌類の発生抑制も必要となっている。
【０００８】
【課題を解決するための手段】
上記課題を解決するために、この発明が提供する袋物への詰め物の充填方法は、注入口を有する袋物への詰め物としてポリスチレンビーズと天然繊維または人造繊維からなるわたとの混合物を使用し、前記混合物を送風によって吸引、圧送する袋物への詰め物の充填方法であって、前記混合物は１００メッシュ以上の粉砕度を持つ炭酸カルシュウム粉末を含有していることを特徴とするものである。
【０００９】
この発明によれば、ポリスチレンビーズと天然繊維または人造繊維からなるわたを供給装置にいれ、攪拌混合することにより、ビーズがわたの網目状の繊維間隙に入り込み、一体化した詰め物になる。前記詰め物は送風によって吸引、圧送可能であり、前記の袋物に送風充填できる。また、ポリスチレンビーズにくらべ安価なわたを混合することでポリスチレンビーズの使用量も少なくて済み、詰め物のコスト削減ができる。
【００１０】
詰め物として混入された炭酸カルシュウム粉末はポリスチレンビーズの静電気を中和し潤滑性も高めるので、作業効率を高めることができる。また詰め物内部の水分と反応し弱アルカリ性となるので殺菌効果が得られる。
【００１１】
【発明の実施の形態】
【実施例１】
この発明に係る袋物への詰め物の充填方法の実施例を、猫ぬいぐるみを例にして図面に基づいて説明する。
【００１２】
この実施例の猫ぬいぐるみの袋物に詰め物を充填する際に使用する装置の構成を図１によって説明する。
【００１３】
この装置は、猫ぬいぐるみの袋物１の中にポリスチレンビーズと天然繊維または人造繊維からなるわたの混合物７を混合ボックス３に供給するホッパー２と、混合物７を混合する混合ボックス３と同ボックスに供給した前記混合物を攪拌する攪拌棒４と、混合物７を袋物１に供給する供給管５と、この先端に接続して袋物１の注入口Ａに挿入する注入ノズル６と、空気を袋物１の中に圧送する空気圧縮機８とより構成されている。
【００１４】
前記ホッパー２には開閉扉９がついている。混合物７を前記混合ボックス３に供給した後に開閉扉９を閉じ、攪拌棒４を回転させほぐし混合する。また、混合ボックス３には袋物１に空気を圧送する際の空気取り入バルブ１０が取り付けられている。このバルブ１０は混合物７を空気で吸引、圧送するときに口が開き、混合ボックス３内の圧力を大気圧とし、混合物７の吸引、圧送を容易にする。圧送された空気はぬいぐるみの袋物１の糸隙間を抜け外に排出され、混合物７は袋物１内部に充填できる構成になっている。また袋物１に混合物７を注入、充填する前記ノズル６には開度調節バルブ１１が取り付けられている。フートスイッチ１２で空気圧縮機８の起動停止と開度調節バルブ１１の開度調整を行うことができる。フートスイッチ１２で空気圧縮機８を起動し、踏み方の強度を可変すれば、前記バルブ１１の開閉度を変化させ、ぬいぐるみの袋物１に入れる混合物７の量を調整できる。
【００１５】
次に、猫ぬいぐるみへの詰め物の充填作業方法を説明する。
【００１６】
【実施例２】
猫ぬいぐるみの生地（天然繊維または合成繊維の織物）を縫製して袋物を作り、混合物の注入口Ａを作り、所定形状の猫ぬいぐるみの袋物１をつくる。
【００１７】
ホッパー２に直径３ｍｍのポリスチレンビーズ容量５０％とアクリル繊維のわた容量５０％を入れ、混合ボックス３内の攪拌棒９を回転させ混合を行う。使用したポリスチレンビーズのサイズは３ｍｍとした。この理由は、前記わた容量５０％と３ｍｍのポリスチレンビーズ容量５０％を混合したときの弾力性や復元性が１ｍｍのポリスチレンビーズ１００％使用したときにもっとも近かったことによる。
【００１８】
注入口Ａに前記の注入ノズル６を挿入して、フートスイッチ１２を操作して空気圧縮機８からの送風によって、混合物７を先端の注入ノズル６から円滑に猫ぬいぐるみの袋物１内に注入、充填する。
【００１９】
所定状態の猫ぬいぐるみの袋物１内に混合物７が注入、充填された後に、フートスイッチ１２を切り、注入ノズル６を猫ぬいぐるみ袋物１の注入口Ａから抜き取り、注入口を縫製また圧着し閉止することによって、猫ぬいぐるみを作業効率よく生産しうるものである。
【００２０】
【実施例３】
猫ぬいぐるみ袋物に通気性の悪い生地を使用する場合は、袋物に開口部を二箇所つくり、ひとつを注入口とし、ひとつを空気排出口とする。
【００２１】
その後の操作は実施例２と同じ操作で猫ぬいぐるみを完成させた。
【００２２】
【実施例４】
ポリスチレンビーズの静電気の中和によるハンドリング性向上及び、混合物中にバクテリヤや細菌が発生することを抑制するため、混合物に２００メッシュの炭酸カルシュウムを混合物の容量１％添加した。
【００２３】
その後の操作は実施例２と同じ操作で猫ぬいぐるみを完成させた。
【００２４】
炭酸カルシュウム粉は細かい粒度のほうが効果的であるが、糸の間に隙間のある袋物の場合、細か過ぎたり、量が多すぎると隙間を通過してしまうので、２００メッシュの炭酸カルシュウムを混合物の容量１％を使用したところ、袋物からの漏れも無く、ポリスチレンビーズの静電気を中和し周辺に付着しなくなり充填の作業性も改善できた。
【００２５】
【発明の効果】
この発明によれば、次に述べるような顕著な効果を得ることができる。
【００２６】
ポリスチレンビーズ単体では比重が軽く飛散してしまうため送風方式で充填できなかったが、ポリスチレンビーズとわたを混合し一体化した混合物とすることにより送風による充填作業が可能となり、充填作業効率が大幅に改善できる。作業改善効率は手詰めに比べ５０％以上改善できる。
【００２７】
ポリスチレンビーズの代わり安価なわたを混合使用するため、詰め物のコスト低減が可能である。また、混合物を送風方式により充填できるため作業性が向上するので、袋物の充填作業コストを削減できる。詰め物にポリスチレンビーズを１００％した袋物の製造コストに比べ３０％以上のコスト削減が可能である。
【００２８】
炭酸カルシュウムの粉末を混合したことにより、バクテリヤや細菌の増殖による悪臭発生を抑制し、ポリスチレンビーズの静電気を中和し混合物の充填作業時のハンドリング性も改善できる。
【図面の簡単な説明】
【図１】袋物に詰め物を充填する際に使用する装置の構成図である
【符号の説明】
１．袋物
２．ホッパー
３．混合ボックス
４．攪拌棒
５．供給管
６．注入ノズル
７．混合物
８．空気圧縮機
９．開閉扉
１０．空気取り入れバルブ
１１．開度調整バルブ
１２．フートスイッチ
Ａ．注入口
【図１】
0003612667.tif 000002